(57)【要約】  出力電流が大きく変化する場合に高い応答性でフィードバック制御を行うことができる電源装置を、消費電力をより抑え得る構成で実現する。  電源装置（１）は、電圧変換部（３）から出力される電流の電流変動率ΔＩrを検出する変動率検出部（３２）と、変動率検出部（３２）で検出された電流変動率ΔＩrが大きいほど速度を大きくする方式で処理速度を決定する処理速度決定部（３３）と、予め設定された目標値Ｉta，Ｖtaと、電圧変換部（３）からの電流値Ｉout、電圧値Ｖoutとに基づいて電圧変換部（３）に与えるＰＷＭ信号のデューティを演算し、演算で得られたデューティに設定されたＰＷＭ信号を電圧変換部（３）に出力する制御部（３１）とを備える。制御部（３１）は、処理速度決定部（３３）で決定された処理速度で動作する。
2017183243.tif 000002
【特許請求の範囲】
【請求項１】
スイッチング素子がＰＷＭ信号に応じてオンオフ動作することにより、入力された電圧を昇圧又は降圧して出力する電圧変換部と、
前記電圧変換部から出力される電流の変動率を検出する変動率検出部と、
前記変動率検出部で検出された前記変動率が大きいほど速度を大きくする方式で処理速度を決定する処理速度決定部と、
前記処理速度決定部で決定された前記処理速度で動作する構成をなし、予め設定された目標値と前記電圧変換部からの出力値とに基づいて前記電圧変換部に与えるＰＷＭ信号のデューティを演算するとともに、演算で得られたデューティに設定されたＰＷＭ信号を前記電圧変換部に出力するフィードバック制御を行う制御部と、
を備える電源装置。
【請求項２】
前記処理速度決定部は、
前記変動率検出部で検出された前記変動率が所定の第１閾値より大きく、且つ前記電圧変換部から出力される電流の電流値が所定の第２閾値より大きい場合に前記処理速度を第１処理速度に決定し、
前記変動率検出部で検出された前記変動率が前記第１閾値以下である場合、又は前記電圧変換部から出力される電流の電流値が前記第２閾値以下である場合に前記処理速度を第１処理速度より遅い第２処理速度に決定する請求項１に記載の電源装置。
【請求項３】
前記処理速度決定部は、前記処理速度を前記第２処理速度から前記第１処理速度に切り替えた後、少なくとも所定時間の間、前記第１処理速度から前記第２処理速度への切り替えを禁止し、前記第２処理速度から前記第１処理速度に切り替えてから前記所定時間が経過した後、前記変動率検出部で検出された前記変動率が前記第１閾値以下となった場合又は前記電圧変換部から出力される電流の電流値が前記第２閾値以下となった場合に前記第１処理速度から前記第２処理速度へ切り替える請求項２に記載の電源装置。
【発明の詳細な説明】
【技術分野】
【０００１】
本発明は、電源装置に関するものである。
【背景技術】
【０００２】
出力電圧を所望の目標電圧で安定化させようとする電源装置の例として、例えば特許文献１のような技術が提案されている。特許文献１の電源制御装置は、電源制御対象装置に供給される出力電圧と基準電圧との差分情報に基づき、出力電圧が基準電圧と等しくなるようにデジタル制御するデジタル制御回路部を備えている。
【先行技術文献】
【特許文献】
【０００３】
【特許文献１】特許第５１７５６４２号公報
【発明の概要】
【発明が解決しようとする課題】
【０００４】
この種の電源装置は、出力を監視しつつフィードバック制御を行い、出力電圧又は出力電流を目標値に近づけるように安定化させるが、電源装置の出力は負荷状態の影響を受け、負荷の状態が大きく変化する場合には出力電圧や出力電流が大きく変動しやすいという事情がある。このように負荷状態によって出力が大きく変動する場合にフィードバック制御を行う制御回路の処理速度が遅いと出力の安定性が不十分となる懸念があるため、制御回路は負荷状態の変化に起因する出力変動を想定した処理速度で動作可能となっていることが望ましいといえる。しかし、出力変動を想定した高い処理速度で制御回路を動作させ続けると制御回路の消費電力が増大するという問題がある。【０００５】
これに対し、特許文献１では、上記問題の参考となる技術が提案されている。この特許文献１の電源制御装置は、対象（電源制御対象装置）の内部に設けられた機能ブロックの負荷が変化する場合にアクティブに設定して電源制御回路に入力し、電源制御対象装置の負荷の変化によって生じる出力電圧の変動を抑制する。一方で、電源制御対象装置の負荷が変化しない場合には、プロセッサ動作クロックを停止させ、デジタル制御回路部のプロセッサを停止させることで、低消費電力を実現する。具体的には、対象（電源制御対象装置）から発せられる制御信号が電源制御装置に入力されるようになっており、電源制御装置は、この制御信号の遷移に応答してデジタル制御回路部内のプロセッサが動作する。そして、電源制御装置内においてデジタル制御回路部の出力を監視し、対象（電源制御対象装置）内の負荷が変化しないと判定されたときにデジタル制御回路部内のプロセッサの動作を停止させる構成となっている。【０００６】
しかし、特許文献１の電源制御装置は、この電源制御装置による出力電圧が印加される対象（電源制御対象装置）から出力経路（出力電圧が印加される電力線）とは別の経路で制御信号（機能ブロック・クロックアクティブ信号）が送信される構成が前提のものである。つまり、出力電圧が印加される電力線とは別の経路でこのような制御信号が出力される構成のものにしか適用できない。しかも、この制御信号は、出力電圧又は出力電流の変化に対してある程度の遅れがあるため、出力電圧又は出力電流の変化を制御信号から把握することは、フィードバックの遅延を招くことになる。【０００７】
本発明は上記した事情に基づいてなされたものであり、出力電流が大きく変化する場合に高い応答性でフィードバック制御を行うことができる電源装置を、消費電力をより抑え得る構成で実現することを目的とするものである。
【課題を解決するための手段】
【０００８】
本発明の電源装置は、
スイッチング素子がＰＷＭ信号に応じてオンオフ動作することにより、入力された電圧を昇圧又は降圧して出力する電圧変換部と、
前記電圧変換部から出力される電流の変動率を検出する変動率検出部と、
前記変動率検出部で検出された前記変動率が大きいほど速度を大きくする方式で処理速度を決定する処理速度決定部と、
前記処理速度決定部で決定された前記処理速度で動作する構成をなし、予め設定された目標値と前記電圧変換部からの出力値とに基づいて前記電圧変換部に与えるＰＷＭ信号のデューティを演算するとともに、演算で得られたデューティに設定されたＰＷＭ信号を前記電圧変換部に出力するフィードバック制御を行う制御部と、
を備える。
【発明の効果】
【０００９】
この電源装置は、電圧変換部から出力される電流の変動率を変動率検出部によって検出し、処理速度決定部は、変動率検出部で検出された電流の変動率が大きいほど速度を大きくする方式で処理速度を決定する。そして、制御部は、処理速度決定部で決定された処理速度で動作する。この構成では、負荷変動によって出力電流の変動率が相対的に大きくなった場合に、制御部の処理速度を相対的に大きくすることができる。つまり、出力電流が大きく変動する場合には処理速度を大きくすることで目標値への追従性を高めることができ、負荷変動等によって安定性が低下することを確実に抑制することができる。しかも、電圧変換部から出力される電流の変動率に基づいて処理速度を決定しているため、処理速度決定部によって処理速度を決定する上で、出力電流の変動状態がより迅速に反映されやすくなり、フィードバック制御の応答性を高めることができる。一方、出力電流の変動率が相対的に小さい場合には、制御部の処理速度を相対的に小さくすることができる。つまり、出力電流の変動率が相対的に小さく、安定性が損なわれにくい状況下では制御部の処理速度を抑え、消費電力の低減を図ることができる。【００１０】
よって、出力電流が大きく変化する場合に高い応答性でフィードバック制御を行うことができる電源装置を、消費電力をより抑え得る構成で実現することができる。
【図面の簡単な説明】
【００１１】
【図１】実施例１の電源装置を概略的に例示するブロック図である。
【図２】実施例１の電源装置における処理速度決定部で実行されるウェイクアップ信号及び演算速度変更要求信号の制御の流れを例示するフローチャートである。
【図３】実施例１の電源装置における制御部で実行されるフィードバック制御の流れを例示するフローチャートである。
【図４】実施例１の電源装置における出力電流の変化の例と、出力電流に応じたウェイクアップ信号、演算速度変更要求信号、マイコンの処理速度、マイコンの変化の例を概略的に示すタイミングチャートである。
【図５】実施例１の電源装置が適用される車載システムを例示するブロック図である。
【図６】実施例１の電源装置が図５の車載システムに適用された場合の制御の流れを例示するフローチャートである。
【発明を実施するための形態】
【００１２】
ここで、本発明の望ましい例を示す。
処理速度決定部は、変動率検出部で検出された変動率が所定の第１閾値より大きく、且つ電圧変換部から出力される電流の電流値が所定の第２閾値より大きい場合に処理速度を第１処理速度に決定し、変動率検出部で検出された変動率が第１閾値以下である場合、又は電圧変換部から出力される電流の電流値が第２閾値以下である場合に処理速度を第１処理速度より遅い第２処理速度に決定する構成であってもよい。
【００１３】
出力電流が相対的に小さいときよりも出力電流が相対的に大きいときのほうが負荷変動等に起因する出力変動の影響がより問題となりやすい。本構成では、出力電流が相対的に大きく且つ出力電流が相対的に大きい状況下では処理速度を優先して目標値への追従性を高め、上記問題をより生じにくくすることができる。逆に、出力電流の変動率が相対的に大きくても、出力電流が相対的に小さい状況下では処理速度を抑えることで消費電力の低減を優先させることができる。
【００１４】
処理速度決定部は、処理速度を第２処理速度から第１処理速度に切り替えた後、少なくとも所定時間の間、第１処理速度から第２処理速度への切り替えを禁止し、第２処理速度から第１処理速度に切り替えてから所定時間が経過した後、変動率検出部で検出された変動率が第１閾値以下となった場合又は電圧変換部から出力される電流の電流値が第２閾値以下となった場合に第１処理速度から第２処理速度へ切り替える構成であってもよい。
【００１５】
このように、処理速度を第２処理速度から第１処理速度に切り替えた後、少なくとも所定時間の間、第１処理速度から第２処理速度への切り替えを禁止することで、相対的に低い処理速度（第２処理速度）に切り替わる頻度を少なくすることができ、頻繁に第２処理速度に切り替わることに起因する追従性の低下を防ぐことができる。
【００１６】
＜実施例１＞
以下、本発明を具体化した実施例１について説明する。
【００１７】
図１で示す電源装置１は、例えば、車両に搭載される車載用電源装置として構成されている。電源装置１は、制御装置２、電圧変換部３、電流検出部２２、電圧検出部２４などを備え、入力側導電路７Ａに印加された直流電圧（入力電圧）を降圧又は昇圧した出力電圧を出力側導電路７Ｂに出力する機能を有する。
【００１８】
入力側導電路７Ａは、第１電源部９１によって直流電圧が印加される一次側の電力線として構成され、第１電源部９１の高電位側端子に電気的に接続されている。第１電源部９１は、例えば、鉛蓄電池によって構成されている。なお、第１電源部９１が接続される入力側導電路７Ａには、オルタネータなども接続されている。
【００１９】
出力側導電路７Ｂは、第２電源部９２よって直流電圧が印加される二次側の電力線として構成され、第２電源部９２の高電位側端子に電気的に接続されている。第２電源部９２は、例えば、リチウムイオン電池、電気二重層コンデンサなどの蓄電装置によって構成されている。
【００２０】
電圧変換部３は、スイッチング素子（例えばＭＯＳＦＥＴ）がＰＷＭ信号に応じてオンオフ動作することにより、入力側導電路７Ａに印加された入力電圧を昇圧又は降圧して出力側導電路７Ｂに出力する構成をなし、例えば同期整流方式のＤＣＤＣコンバータとして構成されている。この電圧変換部３は、例えば、入力側導電路７Ａに印加された入力電圧がＰＷＭ信号で制御されるスイッチング素子のオンオフ動作によって昇圧されて出力側導電路７Ｂに出力される昇圧型コンバータであってもよく、入力側導電路７Ａに印加された入力電圧がＰＷＭ信号で制御されるスイッチング素子のオンオフ動作によって降圧されて出力側導電路７Ｂに出力される降圧型コンバータであってもよい。或いは、入力側導電路７Ａに印加された入力電圧を昇圧して出力側導電路７Ｂに出力するモード（昇圧モード）と、入力側導電路７Ａに印加された入力電圧を降圧して出力側導電路７Ｂに出力するモード（降圧モード）とを切り替えて行う昇降圧型コンバータであってもよい。或いは、導電路７Ａに印加された入力電圧を昇圧又は降圧して導電路７Ｂに出力するモードと、導電路７Ｂに印加された入力電圧を昇圧又は降圧して導電路７Ａに出力するモードとを切り替えて行う双方向型の昇降圧型コンバータであってもよい。
【００２１】
以下の説明では、これらのうちの代表例として、導電路７Ａに印加された入力電圧を昇圧して導電路７Ｂに出力する昇圧モードと、導電路７Ｂに印加された入力電圧を降圧して導電路７Ａに出力する降圧モードとを切り替えて行う双方向型の昇降圧型コンバータの例として説明し、図１等では、導電路７Ａに印加された入力電圧を昇圧して導電路７Ｂに出力するモード（昇圧モード）に着目して説明する。但し、あくまで例示であり、この例に限定されないことは勿論である。
【００２２】
電流検出部２２は出力側導電路７Ｂに流れる電流を検出して電圧変換部から出力される電流の大きさに対応する値を出力することができる。詳しくは、電流検出部２２は、出力側導電路７Ｂに流れる電流に対応する電圧値を検出値として出力する構成であれば良い。例えば、電流検出部２２は、出力側導電路７Ｂに介在する抵抗器と差動増幅器とを具備し、抵抗器の両端電圧が差動増幅器に入力され、出力側導電路７Ｂを流れる電流によって抵抗器に生じた電圧降下量が差動増幅器で増幅され、検出値として出力されるようになっている。
【００２３】
電圧検出部２４は出力側導電路７Ｂにおける出力電圧を検出して出力電圧の大きさに対応する値を出力することができる。詳しくは、電圧検出部２４は出力側導電路７Ｂの電圧を反映した値（例えば、出力側導電路７Ｂの電圧そのもの、或いは分圧値等）を出力する。
【００２４】
以下、電流検出部２２から出力される検出値によって特定される出力側導電路７Ｂの電流値を電流値Ｉoutといい、電圧検出部２４から出力される検出値によって特定される出力側導電路７Ｂの電圧値を電圧値Ｖoutという。
【００２５】
制御装置２は、図１に示すように、制御部３１、変動率検出部３２、処理速度決定部３３を有している。
【００２６】
制御部３１は、例えばマイクロコンピュータとして構成されており、ＣＰＵ、ＲＯＭ、ＲＡＭ、不揮発性メモリ等を具備している。制御部３１は処理部３０の機能と、駆動部３９の機能を有している。制御部３１は、予め設定された目標値（目標値Ｉta、目標値Ｖta）と電圧変換部３からの出力値（電流値Ｉout、電圧値Ｖout）とに基づいて電圧変換部３に与えるＰＷＭ信号のデューティを演算するとともに、演算で得られたデューティに設定されたＰＷＭ信号を電圧変換部３に出力する機能を有する。この制御部３１は、後述する処理速度決定部３３で決定された処理速度で動作するように構成されている。
【００２７】
処理部３０は、例えばＣＰＵを有してなり、第１閾値である電流変動率閾値ΔＩt1、低出力電流閾値Ｉt1、第２閾値である高出力電流閾値Ｉt2、電圧変換部３から出力される電流の目標値Ｉta（以下、目標値Ｉtaという）、及び電圧変換部３から出力される電圧の目標値Ｖta（以下、目標値Ｖtaという）を処理する部分である。目標値Ｉta、目標値Ｖtaは、制御部３１において予め設定された値である。
【００２８】
駆動部３９は、電圧変換部３から出力される電流及び電圧が所定の大きさになるようにフィードバック制御を行う。詳しくは、出力側導電路７Ｂの電流値Ｉout及び電圧値Ｖoutと、目標値Ｉta及び目標値Ｖtaとに基づき、公知のＰＩＤ制御方式によるフィードバック演算によって制御量（以下、デューティという）を決定する。そして、決定したデューティのＰＷＭ信号を、電圧変換部３のスイッチング素子に対して出力する。
【００２９】
変動率検出部３２は、電圧変換部３から出力される電流の変動率を検出する機能を有する。変動率検出部３２は、電流検出部２２から出力された電流値Ｉoutを監視し、出力側導電路７Ｂに流れる電流の所定時間当たりの電流変動率ΔＩr（以下、電流変動率ΔＩrという）を演算して求めて出力することができる。つまり、変動率検出部３２は電圧変換部３から出力される電流の電流変動率ΔＩrを検出することができる。
【００３０】
処理速度決定部３３は、変動率検出部３２で検出された電流変動率ΔＩrが大きいほど速度を大きくする方式で処理速度を決定する機能を有する。この処理速度決定部３３は、電流検出部２２の検出値によって特定される電流値Ｉoutと変動率検出部３２で検出された電流変動率ΔＩrと、処理部３０で把握される電流変動率閾値ΔＩt1、低出力電流閾値Ｉt1、及び高出力電流閾値Ｉt2に基づいて処理速度を決定する。具体的には、処理速度決定部３３は、電流値Ｉout、電流変動率ΔＩr、電流変動率閾値ΔＩt1、低出力電流閾値Ｉt1、高出力電流閾値Ｉt2に基づいて後述するウェイクアップ信号Ｒsや演算速度変更要求信号ＲoのそれぞれをローレベルＬ又はハイレベルＨのいずれかの状態にして出力する機能を有する。
【００３１】
ウェイクアップ信号Ｒsは、例えば制御部３１をスリープ状態や低速状態に切り替える際に用いられる。演算速度変更要求信号Ｒoは、例えば駆動部３９における処理速度の変更に用いられる。
【００３２】
次に、処理速度決定部３３の動作について、図２等を参照しつつ説明する。
図２で示す判定処理は、短時間毎に処理速度決定部３３で行われる周期処理である。処理速度決定部３３は、所定の開始条件の成立時（例えば、イグニッション信号がオフからオンに切り替わった時など）に図２の制御を開始し、その後、図２の制御を周期的に実行する。
【００３３】
処理速度決定部３３は、図２の判定処理の開始後、まず、検出部２０の電流検出部２２から出力された電流値Ｉout、変動率検出部３２で検出された電流変動率ΔＩr、電流変動率閾値ΔＩt1、低出力電流閾値Ｉt1、高出力電流閾値Ｉt2を取得する（ステップＳ１）。なお、電流変動率閾値ΔＩt1、低出力電流閾値Ｉt1、高出力電流閾値Ｉt2は、図２の処理を実行するプログラムの一部として記憶されていてもよく、別途メモリ等に記憶されたものをステップＳ１の処理で取得してもよい。
【００３４】
処理速度決定部３３は、ステップＳ１の後、ウェイクアップ信号Ｒsがハイレベルであるか否かを判断する（ステップＳ２）。
【００３５】
処理速度決定部３３は、ステップＳ２にてウェイクアップ信号Ｒsがハイレベルでないと判断した場合、電流検出部２２の検出値によって把握される電流値Ｉoutが低出力電流閾値Ｉt1より大きいか否かを判断する（ステップＳ３）。処理速度決定部３３は、ステップＳ３において電流値Ｉoutが低出力電流閾値Ｉt1より大きいと判断した場合、ウェイクアップ信号Ｒsをハイレベルに設定し（ステップＳ４）、その後、図３の判定処理を終了し、再びステップＳ１から処理を実行する。処理速度決定部３３は、ステップＳ３において電流値Ｉoutが低出力電流閾値Ｉt1以下と判断した場合、図３の判定処理を終了し、再びステップＳ１から処理を実行する。
【００３６】
このように、処理速度決定部３３は、電流値Ｉoutが低出力電流閾値Ｉt1以下である間は、ウェイクアップ信号Ｒsをローレベルで維持し、電流値Ｉoutが低出力電流閾値Ｉt1より大きい場合、ウェイクアップ信号Ｒsをハイレベルで維持する。
【００３７】
なお、制御部３１は、所定のスリープ条件が成立した場合（例えば、電流値Ｉoutが低出力電流閾値Ｉt1以下となった場合、又は電流値Ｉoutが低出力電流閾値Ｉt1以下となった状態で所定条件が成立した場合など）に、ウェイクアップ信号Ｒsがローレベルになり、このときには、制御部３１がスリープ状態に切り替わるようになっている。スリープ状態のときには、制御部３１の処理速度を後述の第２処理速度より遅い第３処理速度に設定する。また、スリープ状態のときに制御部３１の大部分の機能を停止させてもよい。
【００３８】
処理速度決定部３３は、ステップＳ２にてウェイクアップ信号Ｒsがハイレベルであると判断した場合、ステップ５の処理を行い、演算速度変更要求信号Ｒoがハイレベルであるか否かを判断する。
【００３９】
処理速度決定部３３は、ステップ５にて演算速度変更要求信号Ｒoがハイレベルであると判断した場合、ステップＳ６の処理を行い、演算速度変更要求信号Ｒoがハイレベルに設定されてから所定時間（例えば、１０ｍｓ）が経過したか否か（即ち、演算速度変更要求信号Ｒoがハイレベルで維持された時間が所定時間を超えたか否か）を判断する。
【００４０】
処理速度決定部３３は、ステップＳ６において、演算速度変更要求信号Ｒoがハイレベルに設定されてからの経過時間が所定時間に達していないと判断した場合、ステップＳ７の処理を行い、演算速度変更要求信号Ｒoをハイレベルに設定し、その設定状態で処理を終了する。ステップＳ７の処理の後には、再びステップＳ１から処理を実行する。
【００４１】
処理速度決定部３３は、ステップＳ５において演算速度変更要求信号Ｒoがハイレベルでないと判断した場合、又は、ステップＳ６において、演算速度変更要求信号Ｒoがハイレベルに設定されてからの経過時間が所定時間に達したと判断した場合、ステップＳ８の処理を行い、変動率検出部３２で検出された電流変動率ΔＩrが電流変動率閾値ΔＩt1より大きいか否かを判断する。
【００４２】
処理速度決定部３３は、ステップＳ８にて電流変動率ΔＩrが電流変動率閾値ΔＩt1より大きいと判断した場合、ステップＳ９の処理を行い、電圧変換部３から出力される電流値Ｉoutが高出力電流閾値Ｉt2よりも大きいか否かを判断する。そして、処理速度決定部３３は、ステップＳ９にて電流値Ｉoutが高出力電流閾値Ｉt2より大きいと判断した場合、ステップＳ７の処理を行い、演算速度変更要求信号Ｒoをハイレベルに設定し、その設定状態で処理を終了する。ステップＳ７の処理の終了後は、再びステップＳ１から処理を実行する。
【００４３】
処理速度決定部３３は、ステップＳ８にて電流変動率ΔＩrが電流変動率閾値ΔＩt1以下であると判断した場合、又はステップＳ９にて電流値Ｉoutが高出力電流閾値Ｉt2以下であると判断した場合、ステップＳ１０の処理を行い、演算速度変更要求信号Ｒoをローレベルに設定し、その設定状態で処理を終了する。ステップＳ１０の処理の終了後は、再びステップＳ１から処理を実行する。
【００４４】
このように、処理速度決定部３３は、変動率検出部３２で検出された電流変動率ΔＩrが電流変動率閾値ΔＩt1（第１閾値）より大きく、且つ電圧変換部３から出力される電流の電流値Ｉoutが高出力電流閾値Ｉt2（第２閾値）より大きい場合に演算速度変更要求信号Ｒoをハイレベルに設定し、処理速度を第１処理速度に決定する。一方、処理速度決定部３３は、変動率検出部３２で検出された電流変動率ΔＩrが電流変動率閾値ΔＩt1（第１閾値）以下である場合、又は電圧変換部３から出力される電流の電流値Ｉoutが高出力電流閾値Ｉt2（第２閾値）以下である場合に演算速度変更要求信号Ｒoをローレベルに設定し、処理速度を第１処理速度より遅い第２処理速度に決定する。
【００４５】
次に、制御部３１で実行されるフィードバック制御について、図３等を参照しつつ説明する。
図３で示すフィードバック制御は、制御部３１によって実行される制御であり、周期的に繰り返される処理である。制御部３１は、所定の開始条件の成立時（例えば、イグニッション信号がオフからオンに切り替わった時など）に図３の制御を開始し、その後、図３の制御を周期的に実行する。
【００４６】
制御部３１は、電流検出部２２からの入力値（検出値）及び電圧検出部２４からの入力値（検出値）によって電流値Ｉout及び電圧値Ｖoutを把握する（ステップＳ１１）。なお、偏差算出部３４，３５は、制御部３１の一部機能をブロックとして示しており、偏差算出部３４が電流値Ｉoutを取得し、偏差算出部３５が電圧値Ｖoutを取得する。
【００４７】
制御部３１は、ステップＳ１１の後、目標値Ｉta、目標値Ｖtaを把握する（ステップＳ１２）。図１の例では、偏差算出部３４が目標値Ｉtaを取得し、偏差算出部３５が目標値Ｖtaを取得する。
【００４８】
制御部３１は、ステップＳ１２の後、前回の処理で設定されたデューティ（即ち、前回のステップＳ２０で設定されたデューティ）を取得する（ステップＳ１３）。例えば、ステップＳ２０で設定されるデューティは、演算が実行される毎に制御部３１のメモリ等に記憶され、制御部３１は、ステップＳ１３の処理においてメモリ等に記憶された前回のデューティ（更新前の現在のデューティ）を取得する。
【００４９】
制御部３１は、ステップＳ１３の後、ウェイクアップ信号Ｒsがハイレベルか否かを判断する（ステップＳ１４）。具体的には、制御部３１は、ステップＳ１４の時点で処理速度決定部３３から出力されるウェイクアップ信号Ｒsがハイレベルであるか否かを判断し、ハイレベルであると判断した場合、ステップＳ１５の処理を行い、変動率検出部３２から出力される演算速度変更要求信号Ｒoを取得する。
【００５０】
そして、ステップＳ１５の後には、制御部３１の処理速度（演算速度）を設定する（ステップＳ１６）。具体的には、ステップＳ１５の実行時に変動率検出部３２から出力される演算速度変更要求信号Ｒoがハイレベルである場合、制御部３１の処理速度を第１の処理速度（相対的に処理が速くなる速度）に設定する。この場合の設定方法としては、例えば、制御部３１が図３のフィードバック制御を行う周期（デューティを算出する周期）を相対的に短い第１の周期に設定する。これにより、少なくともフィードバック制御が行われる時間間隔を短くするように制御部３１の処理速度が高速化される。
【００５１】
一方、ステップＳ１５の実行時に変動率検出部３２から出力される演算速度変更要求信号Ｒoがローレベルである場合、制御部３１の処理速度を第１の処理速度よりも第２の処理速度（相対的に処理が遅くなる速度）に設定する。この場合、例えば、制御部３１が図３のフィードバック制御を行う周期（デューティを算出する周期）を相対的に長い第２の周期に設定する。これにより、少なくともフィードバック制御が行われる時間間隔を長くするように制御部３１の処理速度が低速化される。
【００５２】
このように、制御部３１は、第１の処理速度の状態（高速状態）と、第２の処理速度の状態（低速状態）と、第３の処理速度の状態（スリープ状態）とに切り替えられる。第１の処理速度の状態は、第２の処理速度の状態よりもフィードバック制御が行われる時間間隔が短い状態であり、第２の処理速度の状態よりも制御部３１（マイクロコンピュータ）の動作クロックの周期が小さい状態（クロック周波数が大きい状態）である。第３の処理速度の状態は、第２の処理速度の状態よりも制御部３１（マイクロコンピュータ）の動作クロックの周期が大きい状態（クロック周波数が小さい状態）である。
【００５３】
制御部３１は、ステップＳ１６の後、ステップＳ１７の処理を行い、偏差算出部３４から出力される電流値Ｉoutと目標値Ｉtaとの偏差Ｄiを取得し、偏差Ｄiと、予め設定された比例ゲイン、微分ゲイン、及び積分ゲインとに基づき、公知のＰＩＤ演算式により電流値Ｉoutを目標値Ｉtaに近づけるための操作量（デューティの増減量）を決定する。
【００５４】
制御部３１は、ステップＳ１７の後、ステップＳ１８の処理を行い、演算部３７が、偏差算出部３５から出力される電圧値Ｖoutと目標値Ｖtaとの偏差に対応する値Ｄvを取得し、値Ｄvと、予め設定された比例ゲイン、微分ゲイン、及び積分ゲインとに基づき、公知のＰＩＤ演算式により電圧値Ｖoutを目標値Ｖtaに近づけるための操作量（デューティの増減量）を決定する。
【００５５】
制御部３１は、ステップＳ１８の後、ステップＳ１９の処理を行い、このステップＳ１９では、調停部３８がステップＳ１７で決定した操作量とステップＳ１８で決定した操作量のいずれを優先させるかを決定（調停）する。いずれを優先させるかの決定方法は様々に考えられ、例えば、演算部３６，３７のそれぞれで決定した操作量のうち、小さい操作量（デューティが小さくなる操作量）を優先させる方法が考えられる。なお、決定する方法はこの方法に限定されず、公知の他の方法を用いても良い。
【００５６】
制御部３１は、ステップＳ１４において処理速度決定部３３から出力されるウェイクアップ信号Ｒsがハイレベルでないと判断した場合、ステップＳ２１の処理を行い、前回のフィードバック制御で設定されたデューティを維持する。つまり、制御部３１は、ステップＳ２１の処理を行う場合、前回のデューティを更新せずに維持し、そのデューティを調停結果として用いる。
【００５７】
制御部３１は、ステップＳ１９又はステップ２１の後に、ステップＳ２０を行い、ステップＳ１９又はステップＳ２１での処理結果に基づいてデューティを設定する。ステップＳ１９の後にステップＳ２０を行う場合、調停部３８は、前回のデューティにステップＳ１９で決定した操作量を加え、新たなデューティとする。ステップＳ２１の後にステップＳ２０を行う場合、調停部３８は、前回のデューティを新たなデューティとする。調停部３８は、ステップＳ２０で新たなデューティを設定した場合、少なくとも次にステップＳ２０の処理が行われるまでの間、このデューティのＰＷＭ信号を電圧変換部３に対して継続して出力する。なお、制御部３１は、ステップＳ２０にてデューティの設定を行った後には、再びステップＳ１１から演算を実行する。
【００５８】
次に、主に図４を参照し、電流値Ｉoutの変化の例と、その変化に応じたウェイクアップ信号Ｒs、演算速度変更要求信号Ｒo、制御部３１の処理速度、及び制御部３１の状態の変化の例について説明する。
【００５９】
図４の例では、電圧変換部３からの出力電流値Ｉoutが低出力電流閾値Ｉt1よりも低い場合に制御部３１がスリープ状態で維持されている。図４の例では、スリープ状態のときに負荷変動などに起因して出力電流値Ｉoutが変化し、時間Ｔ１のタイミングで出力電流値Ｉoutが低出力電流閾値Ｉt1を超えている。このため、処理速度決定部３３は、ほぼ時間Ｔ１と同時期に図２のステップＳ３においてＹｅｓを判断し、ウェイクアップ信号Ｒsをローレベルからハイレベルに切り替えている(図２におけるステップＳ４。)。このように処理速度決定部３３によってウェイクアップ信号Ｒsがハイレベルに切り替えられると、制御部３１は、その直後の時間Ｔ2でスリープ状態から所定の低速状態に変化している。これにより、制御部３１の処理速度は、スリープ状態のときよりも大きくなる。
【００６０】
なお、スリープ状態は、例えば、制御部３１の動作クロックが生成されていない状態であってもよく、制御部３１の動作クロックの周期が長い状態であってもよい。低速状態は、例えば、制御部３１の一部機能が停止している状態であってもよく、制御部３１の動作クロックの周期が後述する高速状態のときよりも長い状態（即ち、クロック周波数（動作周波数）が小さい状態）であってもよく、それら両方の状態であってもよい。制御部３１の消費電力は処理速度に対応しており、スリープ状態に比べて低速状態のほうが大きい。
【００６１】
制御部３１は、スリープ状態のときに動作クロックが停止した状態、又は周期が第３周期に設定された動作クロックが生成される状態となっており、低速状態のときには周期が第２周期に設定された動作クロックが生成される状態となっている。スリープ状態のときに制御部３１の動作クロックが第３周期である場合、上記第２周期は上記第３周期よりも短い周期である。また、制御部３１による図３のフィードバック制御の実行周期（演算周期）は、スリープ状態のときよりも低速状態のときのほうが短くなる。
【００６２】
図４の例では、時間Ｔ2で制御部３１がスリープ状態から低速状態に変化した後、時間Ｔ３付近で電流値Ｉoutが急激に変化している。このような変化が生じた時間Ｔ３近くの時期に、電流変動率ΔＩrが電流変動率閾値ΔＩt1より大きくなっており、電流値Ｉoutが高出力電流閾値Ｉt2より大きくなっている。このような変化が生じているため、処理速度決定部３３は、図２で示す周期処理のステップＳ８でＹｅｓの判断を行い、ステップＳ９でもＹｅｓの判断を行い、これらの判断に応じて時間Ｔ４のタイミングで演算速度変更要求信号Ｒoをローレベルからハイレベルに切り替えている。このように処理速度決定部３３によって演算速度変更要求信号Ｒoがハイレベルに切り替えられると、制御部３１は、その直後の時間Ｔ５で低速状態から所定の高速状態に変化している。これにより、制御部３１の処理速度は、低速状態のときよりも大きくなる。
【００６３】
制御部３１は、低速状態のときに周期が第２周期に設定された動作クロックが生成される状態となっており、高速状態のときには周期が第１周期に設定された動作クロックが生成される状態となっている。上記第１周期は上記第２周期よりも短い周期である。更に、制御部３１による図３のフィードバック制御の実行周期（演算周期）は、低速状態のときよりも高速状態のときのほうが短くなっている。
【００６４】
図４の例では、時間Ｔ５で制御部３１が低速状態から高速状態に変化した後、時間Ｔ６のタイミングで高速状態から低速状態への切り替え条件（演算速度変更要求信号Ｒoがハイレベルに切り替えられてから所定時間が経過しており、且つΔＩr≦ΔＩt1又はＩout≦Ｉt2のいずれかが成立するという条件）が成立し、演算速度変更要求信号Ｒoがローレベルに切り替えられている。このように処理速度決定部３３によって演算速度変更要求信号Ｒoがローレベルに切り替えられると、制御部３１は、その直後の時間Ｔ７で高速状態から低速状態に変化する。これにより、制御部３１の処理速度は、高速状態のときよりも小さくなる。
【００６５】
以上のように、電源装置１は、電圧変換部３から出力される電流の変動率を変動率検出部３２によって検出し、処理速度決定部３３は、変動率検出部３２で検出された電流の変動率ΔＩrが大きいほど速度を大きくする方式で処理速度を決定する。そして、制御部３１は、処理速度決定部３３で決定された処理速度で動作する。この構成では、負荷変動によって出力電流の変動率ΔＩrが相対的に大きくなった場合に、制御部３１の処理速度を相対的に大きくすることができる。つまり、出力電流が大きく変動する場合には処理速度を大きくすることで目標値への追従性を高めることができ、負荷変動等によって安定性が低下することを確実に抑制することができる。しかも、電圧変換部３から出力される電流の変動率ΔＩrに基づいて処理速度を決定しているため、処理速度決定部３３によって処理速度を決定する上で、出力電流の変動状態がより迅速に反映されやすくなり、フィードバック制御の応答性を高めることができる。一方、出力電流の変動率が相対的に小さい場合には、制御部３１の処理速度を相対的に小さくすることができる。つまり、出力電流の変動率ΔＩrが相対的に小さく、安定性が損なわれにくい状況下では制御部３１の処理速度を抑え、消費電力の低減を図ることができる。
【００６６】
よって、出力電流が大きく変化する場合に高い応答性でフィードバック制御を行うことができる電源装置１を、消費電力をより抑え得る構成で実現することができる。
【００６７】
処理速度決定部３３は、変動率検出部３２で検出された変動率ΔＩrが電流変動率閾値ΔＩt1（第１閾値）より大きく、且つ電圧変換部３から出力される電流の電流値Ｉoutが高出力電流閾値Ｉt2（第２閾値）より大きい場合に処理速度を第１処理速度に決定し、変動率検出部３２で検出された変動率ΔＩrが電流変動率閾値ΔＩt1（第１閾値）以下である場合、又は電圧変換部から出力される電流の電流値Ｉoutが高出力電流閾値Ｉt2（第２閾値）以下である場合に処理速度を第１処理速度より遅い第２処理速度に決定する。
【００６８】
出力電流が相対的に小さいときよりも出力電流が相対的に大きいときのほうが負荷変動等に起因する出力変動の影響がより問題となりやすい。本構成では、出力電流が相対的に大きく且つ出力電流が相対的に大きい状況下では処理速度を優先して目標値への追従性を高め、上記問題をより生じにくくすることができる。逆に、出力電流の変動率が相対的に大きくても、出力電流が相対的に小さい状況下では処理速度を抑えることで消費電力の低減を優先させることができる。
【００６９】
処理速度決定部３３は、処理速度を第２処理速度から第１処理速度に切り替えた後、少なくとも所定時間の間、第１処理速度から第２処理速度への切り替えを禁止し、第２処理速度から第１処理速度に切り替えてから所定時間が経過した後、変動率検出部３２で検出された電流変動率ΔＩrが電流変動率閾値ΔＩt1（第１閾値）以下となった場合又は電圧変換部３から出力される電流値Ｉoutが高出力電流閾値Ｉt2（第２閾値）以下となった場合に第１処理速度から第２処理速度へ切り替える構成となっている。このように、処理速度を第２処理速度から第１処理速度に切り替えた後、少なくとも所定時間の間、第１処理速度から第２処理速度への切り替えを禁止することで、相対的に低い処理速度（第２処理速度）に切り替わる頻度を少なくすることができ、頻繁に第２処理速度に切り替わることに起因する追従性の低下を防ぐことができる。
【００７０】
上述した電源装置１は、図５のような車載システム１００に適用すると効果的である。図５のシステムは、第１電源部９１が鉛バッテリなどのメイン電源として構成され、この第１電源部９１には、負荷９３や負荷９４が接続されている。負荷９４は、第１電源部９１の失陥時であっても電力供給が望まれる負荷（例えば電動パーキングブレーキ装置など）とすることができる。なお、図示はしていないが、発電機なども第１電源部９１に電気的に接続されている。そして、導電路７Ａには、第１電源部９１（メイン電源）からの直流電圧が印加される構成となっている。一方、第２電源部９２が電気二重層コンデンサやリチウムイオン電池などのサブ電源として構成され、導電路７Ｂには、第２電源部９２（サブ電源）からの直流電圧が印加される構成となっている。例えば第１電源部９１（メイン電源）は、満充電時の出力電圧が第２電源部９２（サブ電源）の満充電時の出力電圧よりも大きくなっており、電源装置１は、導電路７Ａに入力された直流電圧を降圧又は昇圧して導電路７Ｂに出力する電圧変換動作と、導電路７Ｂに入力された直流電圧を昇圧又は降圧して導電路７Ａ又は導電路７Ｃに出力する電圧変換動作とを行い得る構成となっている。導電路７Ａ又は導電路７Ｃに出力する電圧変換動作を行う場合、電圧変換部３によって電圧変換された電圧を導電路７Ａ及び導電路７Ｃの両方に印加するように動作してもよく、導電路７Ａのみ、又は導電路７Ｃのみに印加するように動作してもよい。
【００７１】
また、第１電源部９１（メイン電源）と電源装置１との間にはスイッチ部９６が設けられ、特定の状況（例えば、メイン電源の失陥やメイン電源側の地絡等）が発生したときにスイッチ部９６をオフ動作させることで、第１電源部９１（メイン電源）と電源装置１との間を非通電状態に切り替えることができるようになっている。また、スイッチ部９６がオフ状態であっても、電源装置１の昇圧動作時に、第２電源部９２（サブ電源）からの電力を負荷９４等に供給することができるようになっている。
【００７２】
このような車載システム１００では、特定の状況（例えば、メイン電源側の地絡等）が発生し、スイッチ部９６がオフ動作したときには、第２電源部９２（サブ電源）からの電力によって負荷９４等を動作させなければならないため、電源装置１での消費電力は極力抑える必要がある。この問題に関し、本構成の電源装置１では、上述の通り消費電力を抑え得る構成であるため、このようなシステムに適用すると有利である。また、第１電源部９１（メイン電源）と電源装置１との間が非通電状態に切り替えられ、第２電源部９２（サブ電源）によって負荷９４等を動作させる場合、負荷変動によって出力が安定しなくなることが懸念されるが、上述した電源装置１では、出力の安定化対策もなされているため、この点でも有利である。
【００７３】
この構成では、制御装置２は、例えば、図６のような流れで制御を行うことができる。図６の制御は、所定の時期（例えば、始動スイッチ（イグニッションスイッチ等）がオフ状態からオン状態に切り替わった時期）に制御装置２によって実行され、まず、ステップＳ１０１にて所定の初期化処理を行った後、ステップＳ１０２にて第２電源部９２の充電を開始する。ステップＳ１０２で充電を開始する場合、制御部３１が電圧変換部３を動作させ、導電路７Ａに印加された直流電圧を降圧又は昇圧して導電路７Ｂに出力するように電圧変換動作を行うことで、第１電源部９１（メイン電源）からの電力によって第２電源部９２（サブ電源）を充電する。なお、制御部３１は、第２電源部９２の充電を、第２電源部９２の出力電圧（充電電圧）が所定の目標電圧に達するまで行う。
【００７４】
ステップＳ１０２にて第２電源部９２の充電を開始した後、或いは第２電源部９２の充電を完了した後には、処理速度決定部３３が第１電源部９１の失陥を監視する（ステップＳ１０３）。ステップＳ１０３で実行された第１電源部９１の失陥を監視する場合、この監視を第１電源部９１の失陥条件が成立するまで行う。具体的には、例えば、処理速度決定部３３は、第１導電路７Ａに印加された電圧が所定閾値未満となるか否かを監視し、第１導電路７Ａに印加された電圧が所定閾値以上である場合には、第１電源部９１の失陥条件が成立していないと判断し、ステップＳ１０３に戻って第１電源部９１の失陥状態の監視を継続する。一方、第１導電路７Ａに印加された電圧が所定閾値未満となった場合、処理速度決定部３３は、ステップＳ１０４において第１電源部９１の失陥条件が成立したと判断し、ステップＳ１０５に進んでウェイクアップ信号Ｒsをローレベルに切り替え、制御部３１をスリープ状態にする。このように、第１電源部９１が失陥した場合には制御部３１がスリープ状態に切り替えられ、消費電力が抑えられる。
【００７５】
処理速度決定部３３は、ステップＳ１０５においてウェイクアップ信号Ｒsをローレベルに切り替え、制御部３１をスリープ状態とした後、ステップＳ１０６においてウェイクアップ条件の監視を行う。ステップＳ１０６で実行されるウェイクアップ条件の監視は、ウェイクアップ条件が成立するまで継続する。ウェイクアップ条件は、ウェイクアップ信号Ｒsをローレベルからハイレベルに切り替えるための条件であり、「電流値Ｉoutが低出力電流閾値Ｉt1より大きくなること」の条件である。処理速度決定部３３は、ウェイクアップ条件が成立した場合、ステップＳ１０７においてＹｅｓとなり、図６の制御を終了する。
【００７６】
図６の制御において、ステップＳ１０７でＮｏが繰り返される状態は、繰り返し行われる図２の制御において、ステップＳ３でＮｏの判断が繰り返される状態に相当する。また、ステップＳ１０７の判断は、図２におけるステップＳ３の判断に相当し、ステップＳ１０７でＹｅｓとなる場合は、図２のステップＳ３でＹｅｓになる場合に相当する。
【００７７】
なお、図６で示す制御は、所定の終了条件の成立時（例えば、始動スイッチ（イグニッションスイッチなど）がオフ状態に切り替わったとき）に強制的に終了させるようにしてもよい。
【００７８】
＜他の実施例＞
本発明は上記記述及び図面によって説明した実施例１に限定されるものではなく、例えば次のような実施例も本発明の技術的範囲に含まれる。
（１）実施例１では、第２導電路７Ｂに電圧検出部及び電流検出部を設けているが、第１導電路７Ａに電圧検出部及び電流検出部を設けてもよい。
（２）実施例１では、ウェイクアップ信号及び演算速度変更要求信号を制御部３１とは別のハードウェア回路（処理速度決定部３３）で切り替えているが、制御部３１にこのような機能をもたせてもよい。
（３）実施例１では、制御部３１をマイクロコンピュータで構成した例を示したが、制御部３１は、マイクロコンピュータ以外のハードウェア回路で構成されていてもよい。
（４）実施例１では、出力電流の変動率の範囲を電流変動率閾値ΔＩt1よりも大きい場合とΔＩt1以下の場合の２つの範囲に分け、変動率ΔＩｒがいずれの範囲に属するかに基づいて制御部３１の処理速度を低速状態と高速状態の２段階に切り替える構成を例示した。しかし、出力電流の変動率の範囲を３以上の範囲に分け、変動率が大きい範囲に属するほど、処理速度を大きくするように、制御部３１の処理速度を３以上の多段階に切り替えうるようにしてもよい。例えば、変動率ΔＩｒが第１の範囲であり、出力電流が高出力電流閾値よりも大きい場合に、制御部３１の動作クロックを第１周期とし且つ図３のフィードバック演算の周期を第１の設定とし、変動率ΔＩｒが第２の範囲（第１の範囲よりも値が小さい範囲）であり、出力電流が高出力電流閾値よりも大きい場合には、制御部３１の動作クロックを第２周期（第１周期よりも長い周期）とし且つ図３のフィードバック演算の周期を第２の設定（第１の設定よりも長い周期）とし、変動率ΔＩｒが第３の範囲（第２の範囲よりも値が小さい範囲）である場合、又は出力電流が高出力電流閾値以下である場合には、制御部３１の動作クロックを第３周期（第２周期よりも長い周期）とし且つ図３のフィードバック演算の周期を第３の設定（第２の設定よりも長い周期）としてもよい。
（５）実施例１では、変動率検出部３２で検出された変動率ΔＩｒが所定の第１閾値より大きく、且つ電圧変換部３から出力される電流の電流値Ｉoutが所定の第２閾値より大きい場合に制御部３１の処理速度を上述の第１処理速度に決定した。しかし、例えば図２のＳ９の処理を省略し、変動率検出部３２で検出された変動率ΔＩｒが所定の第１閾値より大きい場合に制御部３１の処理速度を上述の第１処理速度に決定し、変動率検出部３２で検出された変動率ΔＩｒが所定の第１閾値以下である場合に制御部３１の処理速度を上述の第２処理速度に決定してもよい。
（６）実施例１では、制御部３１（マイクロコンピュータ）の処理速度が低速状態のときのクロック周波数（動作周波数）が例えば０．１ｋＨｚ〜１ｋＨｚであるが、これに限らず、低速状態のときのクロック周波数は０．１ｋＨｚより小さくても良く、１ｋＨｚより大きくても良い。
（７）実施例１では、制御部３１（マイクロコンピュータ）の処理速度が高速状態のときのクロック周波数（動作周波数）が例えば１０ｋＨｚ〜５０ｋＨｚであるが、これに限らず、高速状態のときのクロック周波数は１０ｋＨｚより小さくても良く、５０ｋＨｚより大きくても良い。
（８）実施例１では、図２のステップＳ６で用いる所定時間を１０ｍｓとしたが、この所定時間は１０ｍｓより長くても良く、１０ｍｓより短くても良い。
【符号の説明】
【００７９】
１…電源装置
２…制御部
３…電圧変換部
３１…制御部
３２…変動率検出部
３３…処理速度決定部
【図１】
2017183243.tif 000003
【図２】
2017183243.tif 000004
【図３】
2017183243.tif 000005
【図４】
2017183243.tif 000006
【図５】
2017183243.tif 000007
【図６】
2017183243.tif 000008
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
スイッチング素子がＰＷＭ信号に応じてオンオフ動作することにより、入力された電圧を昇圧又は降圧して出力する電圧変換部と、
前記電圧変換部から出力される電流の変動率を検出する変動率検出部と、
前記変動率検出部で検出された前記変動率が大きいほど速度を大きくする方式で処理速度を決定する処理速度決定部と、
前記処理速度決定部で決定された前記処理速度で動作する構成をなし、予め設定された目標値と前記電圧変換部からの出力値とに基づいて前記電圧変換部に与えるＰＷＭ信号のデューティを演算するとともに、演算で得られたデューティに設定されたＰＷＭ信号を前記電圧変換部に出力するフィードバック制御を行う制御部と、
を備え、
前記処理速度決定部は、
前記変動率検出部で検出された前記変動率が所定の第１閾値より大きく、且つ前記電圧変換部から出力される電流の電流値が所定の第２閾値より大きい場合に前記処理速度を第１処理速度に決定し、
前記変動率検出部で検出された前記変動率が前記第１閾値以下である場合、又は前記電圧変換部から出力される電流の電流値が前記第２閾値以下である場合に前記処理速度を第１処理速度より遅い第２処理速度に決定する電源装置。
【請求項２】
（削除）
【請求項３】
前記処理速度決定部は、前記処理速度を前記第２処理速度から前記第１処理速度に切り替えた後、少なくとも所定時間の間、前記第１処理速度から前記第２処理速度への切り替えを禁止し、前記第２処理速度から前記第１処理速度に切り替えてから前記所定時間が経過した後、前記変動率検出部で検出された前記変動率が前記第１閾値以下となった場合又は前記電圧変換部から出力される電流の電流値が前記第２閾値以下となった場合に前記第１処理速度から前記第２処理速度へ切り替える請求項１に記載の電源装置。
【国際調査報告】
2017183243.tif 000009
2017183243.tif 000010
2017183243.tif 000011